(57)【特許請求の範囲】
【請求項１】
緩衝荷重を受ける荷重受け部と、
この荷重受け部を保持し、先端側が装着部材の取付け孔に挿入されるアンカー支柱部と、
このアンカー支柱部の基部側外周に設けられ、前記装着部材の取付け孔の前面側外周縁に当接する係止フランジと、
前記アンカー支柱部の外周に、前記係止フランジに対して先端側に所定距離離間して設けられ、前記アンカー支柱部が前記取付け孔に挿入される際に、前記取付け孔の周縁の対応する切欠き窓を挿通可能な複数の係止爪と、を備え、
前記アンカー支柱部と係止爪が、前記装着部材の前面側から前記取付け孔と切欠き窓を通して挿入され、前記係止爪の位置を対応する切欠き窓の位置からずらすことで前記係止フランジと係止爪によって前記装着部材に固定される緩衝部品において、
前記アンカー支柱部の係止爪よりも先端側の外周面の係止爪の延長線上位置に、前記切欠き窓に挿通可能な滑り止め突起を突設したことを特徴とする緩衝部品。
【請求項２】
前記各係止爪の係止フランジと対峙する側の面に、前記装着部材の後面に圧接される係止突起を形成したことを特徴とする請求項１に記載の緩衝部品。
【請求項３】
前記滑り止め突起の突出高さは、前記係止爪の突出高さと同高さに設定したことを特徴とする請求項１また２に記載の緩衝部品。
【請求項４】
緩衝荷重を受ける荷重受け部と、
この荷重受け部を保持し、先端側が装着部材の取付け孔に挿入されるアンカー支柱部と、
このアンカー支柱部の基部側外周に設けられ、前記装着部材の取付け孔の前面側外周縁に当接する係止フランジと、
前記アンカー支柱部の外周に、前記係止フランジに対して先端側に所定距離離間して設けられ、前記アンカー支柱部が前記取付け孔に挿入される際に、前記取付け孔の周縁の対応する切欠き窓を挿通可能な複数の係止爪と、
前記アンカー支柱部の係止爪よりも先端側の外周面の係止爪の延長線上位置に突設され、前記切欠き窓に挿通可能な滑り止め突起と、
を備えた緩衝部品の取付け方法であって、
前記アンカー支柱部を前記装着部材の取付け孔に同装着部材の前面側から挿入するとともに、前記アンカー支柱部の滑り止め突起と係止爪を順次前記切欠き窓に挿通し、前記係止フランジを前記取付孔の前面側外周縁に突き当てる工程と、
前記装着部材の後面側から前記滑り止め突起を把持して前記アンカー支柱部を回転させ、前記係止爪の位置を前記切欠き窓の位置からずらす工程と、
を備えることを特徴とする緩衝部品の取付け方法。
【発明の詳細な説明】
【技術分野】
【０００１】
この発明は、蓋体の開閉部等に用いられ、閉時の衝撃等を吸収する緩衝部品およびその取付け方法に関するものである。
【背景技術】
【０００２】
車両のグローブボックス等においては、蓋体の閉時の衝撃を緩和するために、ゴム材やスプリングを主要素とする緩衝部品が用いられている。この緩衝部品は、通常、ユニット部品として作られ、装着部材の取付け孔に取付けられる（例えば、特許文献１参照）。
【０００３】
特許文献１に記載の緩衝部品は、緩衝荷重を受ける荷重受け部にアンカー支柱部が延設され、アンカー支柱部の外周に複数の係止爪が突設されている。荷重受け部の基端はアンカー支柱部よりも大径に形成され、アンカー支柱部が取付け孔に挿入された状態において、装着部材の前面側から取付け孔の周縁部に当接するようになっている。また、装着部材は取付け孔の周囲に同孔に連続する複数の切欠き窓が形成されており、アンカー支柱部を取付け孔に挿入する際に、アンカー支柱部上の係止爪が対応する切欠き窓に挿通されるようになっている。
【０００４】
この緩衝部品を装着部材に取り付ける場合には、アンカー支柱部とその周囲の係止突起を装着部材の取付け孔と切欠き窓に挿入し、荷重受け部の基端が装着部材の前面に突き当たった時点で、緩衝部品全体を所定角度回転させることによって係止爪の位置を切欠き窓の位置から円周方向にオフセットさせる。これにより、緩衝部材は荷重受け部と係止爪で取付け孔の縁部を挟み込み、その状態で装着部材に係止されることになる。
【特許文献１】特開２００６−２９２０９０号公報
【発明の開示】
【発明が解決しようとする課題】
【０００５】
しかし、この従来の緩衝部品においては、アンカー支柱部を取付け孔に挿入した後に、作業者が最大外径部である荷重受け部を把持して緩衝部品を回転させるようになっているため、荷重受け部がゴム等の弾性部材によって形成されている場合等には、緩衝部品を回転させることが難しい。このため、荷重受け部と係止爪による挟持荷重を充分に大きく設定することができない。
また、緩衝部品の装着部材の前面側に露出する部分に、硬質部材から成る大径の把持部を設けることも考えられるが、この場合には、通常使用時に誤接触によって緩衝部材が回転してしまい、緩衝部品が取付け孔から脱落する可能性が考えられる。
また、取付け孔を貫通したアンカー支柱部を装着部材の後面側から把持して、緩衝部品を回転させることも考えられるが、この場合には、アンカー支柱部が取付け孔を貫通し得る程度の小外径であることから、緩衝部品に大きな回転トルクを加えることが難しくなる。
【０００６】
そこで、この発明は、装着部材に容易にかつ強固に取り付けることができ、しかも、通常使用時における誤接触による脱落をも防止することのできる緩衝部品およびその取付け方法を提供しようとするものである。
【課題を解決するための手段】
【０００７】
上記の課題を解決する請求項１に記載の発明は、緩衝荷重を受ける荷重受け部（例えば、後述の実施形態における荷重受け部材１６）と、この荷重受け部を保持し、先端側が装着部材（例えば、後述の実施形態における上部壁６）の取付け孔（例えば、後述の実施形態における取付け孔１１）に挿入されるアンカー支柱部（例えば、後述の実施形態におけるアンカー支柱部１８）と、このアンカー支柱部の基部側外周に設けられ、前記装着部材の取付け孔の前面側外周縁に当接する係止フランジ（例えば、後述の実施形態における係止フランジ１７）と、前記アンカー支柱部の外周に、前記係止フランジに対して先端側に所定距離離間して設けられ、前記アンカー支柱部が前記取付け孔に挿入される際に、前記取付け孔の周縁の対応する切欠き窓（例えば、後述の実施形態における切欠き窓１２）を挿通可能な複数の係止爪（例えば、後述の実施形態における係止爪１９）と、を備え、前記アンカー支柱部と係止爪が、前記装着部材の前面側から前記取付け孔と切欠き窓を通して挿入され、前記係止爪の位置を対応する切欠き窓の位置からずらすことによって前記係止フランジと係止爪で前記装着部材に挟持固定される緩衝部品において、前記アンカー支柱部の係止爪よりも先端側の外周面の係止爪の延長線上位置に、前記切欠き窓に挿通可能な滑り止め突起（例えば、後述の実施形態における滑り止め突起２１）を突設したことを特徴とする。
この緩衝部品を装着部材に取り付ける場合には、装着部材の前面側から取付け孔にアンカー支柱部を挿入するとともに、切欠き窓に滑り止め突起と係止爪を順次挿通させる。この後、係止フランジを装着部材の前面に突き当てた状態で、装着部材の後面側から滑り止め突起を把持してアンカー支柱部を回転させ、係止部を切欠き窓の位置から周方向にずらす。これにより、緩衝部品は、係止フランジと係止爪で取付け孔の縁部を挟持するかたちで装着部材に取り付けられる。
【０００８】
請求項２に記載の発明は、請求項１に記載の緩衝部品において、前記各係止爪の係止フランジに対峙する側の面に、前記装着部材の後面に圧接される係止突起（例えば、後述の実施形態における係止突起２０）を形成したことを特徴とする。
これにより、係止突起が装着部材の後面に圧接され、取付け孔の縁部が係止フランジと係止突起によって強固に挟持されるようになる。
【０００９】
請求項３に記載の発明は、請求項１また２に記載の緩衝部品において、前記滑り止め突起の突出高さは、前記係止爪の突出高さと同高さに設定したことを特徴とする。
これにより、滑り止め突起は切欠き窓を通過し得るほぼ最大の高さとなる。
【００１０】
請求項４に記載の発明は、緩衝荷重を受ける荷重受け部と、この荷重受け部を保持し、先端側が装着部材の取付け孔に挿入されるアンカー支柱部と、このアンカー支柱部の基部側外周に設けられ、前記装着部材の取付け孔の前面側外周縁に当接する係止フランジと、前記アンカー支柱部の外周に、前記係止フランジに対して先端側に所定距離離間して設けられ、前記アンカー支柱部が前記取付け孔に挿入される際に、前記取付け孔の周縁の対応する切欠き窓を挿通可能な複数の係止爪と、前記アンカー支柱部の係止爪よりも先端側の外周面の係止爪の延長線上位置に突設され、前記切欠き窓に挿通可能な滑り止め突起と、を備えた緩衝部品の取付け方法であって、前記アンカー支柱部を前記装着部材の取付け孔に同装着部材の前面側から挿入するとともに、前記アンカー支柱部の滑り止め突起と係止爪を順次前記切欠き窓に挿通し、前記係止フランジを前記取付孔の前面側外周縁に突き当てる工程と、前記装着部材の後面側から前記滑り止め突起を把持して前記アンカー支柱部を回転させ、前記係止爪の位置を前記切欠き窓の位置からずらす工程と、を備えることを特徴とする。
【発明の効果】
【００１１】
請求項１に記載の発明によれば、係止爪とともに切欠き窓を通過したアンカー支柱部上の滑り止め突起を装着部材の後面側で把持し、アンカー支柱部を回転させて係止爪を切欠き窓位置からずらすことができるため、アンカー支柱部から突出した滑り止め突起を通して緩衝部品に大きな回転トルクを加え、緩衝部品を容易にかつ強固に装着部材に取り付けることができる。
さらに、回転トルクを加える滑り止め突起が、アンカー支柱部上の装着部材の後面側に位置される部位に設けられているため、通常使用時に、装着部材の前面側からの誤接触によって緩衝部品が回転してしまうことがない。したがって、通常使用時における緩衝部品の脱落も防止することができる。
【００１２】
請求項２に記載の発明によれば、各係止爪の係止フランジに対峙する側の面に、装着部材の後面に圧接される係止突起を形成したことにより、係止フランジと係止爪による取付け孔の縁部の挟持をより強固にすることができる。
【００１３】
請求項３に記載の発明によれば、滑り止め突起の突出高さを、切欠き窓を通過し得るほぼ最大の高さである係止爪と同じ高さに設定したため、滑り止め突起を把持した回転操作をより容易にすることができる。
【００１４】
請求項４に記載の発明によれば、アンカー支柱部を装着部材の前面側から取付け孔に挿入し、取付け孔から後面側に突出したアンカー支柱部に対して滑り止め突起を把持して回転トルクを加えるため、緩衝部品を容易にかつ強固に装着部材に取り付けることができる。
【発明を実施するための最良の形態】
【００１５】
以下、この発明の一実施形態を図面に基づいて説明する。
図１，図２は、この発明にかかる緩衝部品１０が適用される車両のグローブボックス１の閉状態での斜視図と、開き状態での平面図を示すものである。
これらの図において、２は、車両のインストルメントパネルであり、３は、グローブボックス１の蓋体、４は、インストルメントパネル２側に固定されるグローブボックス１のボックス本体である。ボックス本体４は、車室内側に向かって開口する収納室５を有し、収納室５の前部側の上部壁６（装着部材）の両コーナーの近傍にそれぞれ緩衝部品１０が取り付けられるとともに、蓋体３を閉じ状態でロックするための図示しないロック用係止部が設けられている。また、蓋体３は、車室内に臨む前面側にロック解除レバー７が設けられるとともに、蓋体３の閉時に、上部側の裏面が緩衝部品１０に当接するようになっている。
【００１６】
図３は、上部壁６の一方側の緩衝部材１０の取付け部を拡大して示した図であり、図４は、緩衝部材１０が取りつけられる前の同じ部位を拡大して示した図である。
上部壁６の緩衝部材１０が取付けられる部位には、円形状の取付け孔１１が形成され、その取付け孔１１の外周には周方向等間隔に略矩形状の３つの切欠き窓１２が連続して形成されている。
【００１７】
図５，図６，図７は、緩衝部材１０を示した図である。
これらの図に示すように、緩衝部材１０は、有底円筒状のケーシング１３にスプリング１４とリテーナ１５が収容されるとともに、リテーナ１５にゴム製の荷重受け部材１６（荷重受け部）が一体に取り付けられている。ケーシング１３は、開口部側の基端に径方向外側に張り出す円形状の係止フランジ１７が延設され、係止フランジ１７よりも底部側（以下、「先端側」と呼ぶものとする。）の筒状領域が取付け孔１１内に挿入されるアンカー支柱部１８とされている。荷重受け部材１６は、グローブボックス１の閉時に蓋体３の裏面に当接して緩衝荷重（緩衝すべき衝撃荷重）を受ける。
【００１８】
アンカー支柱部１８の外周面のうちの、係止フランジ１７から所定距離（ほぼ上部壁６の厚み分）離間した位置には、３つの係止爪１９が円周方向等間隔に突設されている。これらの係止爪１９は、上部壁６の切欠き窓１２に対応して設けられ、軸直角方向での最大断面部分が切欠き窓１２よりも若干小さい相似形状となっている。また、各係止爪１９は、係止フランジ１７側に向かって隆起高さが漸増する楔形状に形成され、係止フランジ１７に対峙する側の端面には、幅方向の中央（アンカー支柱部１８の外面に沿う周方向の中央）が係止フランジ１７側に向かって隆起する係止突起２０が形成されている。
【００１９】
また、アンカー支柱部１８の外周面の各係止爪１９よりも先端側には、各係止爪１９の幅方向の中心と同一軸線上となるように複数の滑り止め突起２１が形成されている。この各滑り止め突起２１は断面方形状に形成され、アンカー支持部１８の軸方向に沿って所定長さに亘って延設されている。各滑り止め突起２１は、図７に示すように、係止爪１９よりも円周方向の幅は狭く形成されているが、隆起高さは係止爪１９と同高さに設定されている。
【００２０】
なお、アンカー支柱部１８の外周壁のうちの、隣接する滑り止め突起２１の間の位置には、略長方形状の係止窓２２が形成され、ケーシング１３内に収容されたリテーナ１５の抜け止め突起２３がこの係止窓２２に係止されるようになっている。詳細には、リテーナ１５は、図６に示すようにケーシング１３の底部に臨む側が開口するように有底円筒状に形成され、周壁の３箇所に略コ字状のスリット２４が形成されるとともに、スリット２４の内側領域に抜け止め突起２３が形成されている。抜け止め突起２３は、リテーナ１５をケーシング１３内に挿入する際に、付根部の弾性によって径方向内側に撓み、ケーシング１３の係止窓２２内で弾性復帰することによってケーシング１３に対して抜け止めされる。また、荷重受け部材１６は、抜け止め突起２３が係止窓２２内で変位することによって自由な進退変位が許容される。
【００２１】
また、上部壁６の後面側の取付け孔１１の周縁部には、隣接する切欠き窓１２の各中間部に位置するように断面略Ｖ字状の３つの係止溝２５が形成されている。この各係止溝２５は、緩衝部材１０が取付け孔１１に取り付けられたときに、各係止爪１９の係止突起２０が係合される。
【００２２】
以上の構成の緩衝部品１０を上部壁６の取付け孔１１に取り付ける場合には、上部壁６の前面側からアンカー支柱部１８の先端部を取付け孔１１に挿入し、このとき、図８（Ｂ）に示すように、アンカー支柱部１８上の滑り止め突起２１と係止爪１９を取付け孔１１の周縁の対応する切欠き窓１２の位置に合致させる。こうして、アンカー支柱部１８が取付け孔１１に挿入されると、滑り止め突起２１と係止爪１９が対応する切欠き窓１２を順次通過し、アンカー支柱部１８の付根部側の係止フランジ１７が図３に示すように上部壁６の前面に当接するようになる。なお、このとき係止フランジ１７は上部壁６の前面側から取付け孔１１の周縁の切欠き窓１２を覆い隠すようになる。
【００２３】
次に、こうしてアンカー支柱部１８が上部壁６の後面側に突出した状態から、図９に示すように作業者がアンカー支柱部１８上の滑り止め突起２１を把持し、アンカー支柱部１８を設定量回転させる。このとき、各係止爪１９に突設された係止突起２０が、上部壁６の後面に圧接された状態で取付け孔１１の縁部に沿って変位し、最終的に対応する係止溝２５に押圧状態で係合される（図８（Ｃ）および図９参照）。
この結果、緩衝部品１０は、係止フランジ１７と係止爪１９（係止突起２０）によって取付け孔１１の孔縁を挟持した状態で上部壁６に固定されることになる。
【００２４】
この緩衝部品１０は、アンカー支柱部１８上に形成された滑り止め突起２１を、係止爪１９とともに切欠き窓１２を通過させ、上部壁６の後面側に突出したアンカー支柱部１８を滑り止め突起２１部分で把持して回転させることができるため、上部壁６の取付け孔１１の縁部に対して容易にかつ強固に取り付けることが可能である。
すなわち、この緩衝部品１０の場合、アンカー支柱部１８の一般面よりも外形の大きい滑り止め突起２１部分を把持して回転トルクを加えることができるため、係止フランジ１７と係止爪１９による上部壁６に対する挟持圧を大きく設定しても、緩衝部品１０全体を大きな回転トルクで容易に回転させることができる。
特に、この実施形態においては、滑り止め突起２１が係止爪１９と同高さとされ、切欠き窓１２を通過し得るほぼ最大の高さとなっているため、取付け時に、滑り止め突起２１を通して緩衝部品１０に作用する回転トルクを充分に大きくすることができる。
【００２５】
また、この緩衝部品１０の場合、取付け時に把持する滑り止め突起２１が上部壁６の後面側に位置されることから、通常使用時の誤接触によって緩衝部品１０が回転することがない。このため、誤接触による回転によって緩衝部品１０が取付け孔１１から脱落するのを確実に防止することができる。
【００２６】
さらに、この実施形態の緩衝部品１０においては、各係止爪１９に上部壁６の後面に圧接される係止突起２０が突設されているため、係止フランジ１７と係止爪１９による取付け孔１１の縁部の挟持をより強固することができるという利点がある。
また、この緩衝部品１０場合、上部壁６の後面に係止突起２０が係合する係止溝２５が形成されているため、係止突起２０と係止溝２５の係合によって取付け状態での緩衝部品１０の回転を確実に防止できるという利点もある。
【００２７】
なお、この発明は上記の実施形態に限定されるものではなく、その要旨を逸脱しない範囲で種々の設計変更が可能である。
【図面の簡単な説明】
【００２８】
【図１】この発明の一実施形態を示すものであり、緩衝部品が適用される車両のグローブボックスの閉じ状態での斜視図。
【図２】同実施形態のグローブボックスの開き状態での正面図
【図３】同実施形態を示す図２のＡ部の拡大図。
【図４】同実施形態の図３に対応する部分における緩衝部品を取付ける前の状態の正面図。
【図５】同実施形態の緩衝部品を示す斜視図。
【図６】同実施形態の図５のＢ−Ｂ断面に対応する断面図。
【図７】同実施形態の緩衝部品の背面図。
【図８】同実施形態の緩衝部品の取付け工程を示す正面図。
【図９】同実施形態の緩衝部品の取付け部を後面側から見た斜視図。
【符号の説明】
【００２９】
６…上部壁（装着部材）
１０…緩衝部品
１１…取付け孔
１２…切欠き窓
１６…荷重受け部材
１７…係止フランジ
１８…アンカー支柱部
１９…係止爪
２０…係止突起
２１…滑り止め突起
【図１】
0004903171.tif 000002
【図２】
0004903171.tif 000003
【図３】
0004903171.tif 000004
【図４】
0004903171.tif 000005
【図５】
0004903171.tif 000006
【図６】
0004903171.tif 000007
【図７】
0004903171.tif 000008
【図８】
0004903171.tif 000009
【図９】
0004903171.tif 000010